(57)【要約】【課題】  ディスクアレイ装置において、例えば論理基板の増設時に取り外したダミー基板３０の管理を容易とし、論理基板の減設作業を効率的に行えるようにする。【解決手段】  論理基板の増設時に取り外したダミー基板３０を保管するための保管部３１を、ディスクアレイ筐体の内部に設ける。ここで保管部３１は、ディスクアレイ筐体の内部における冷却風の流路及び構成部品の挿抜に影響のない場所(例えば、論理基板が収容される論理部を覆うシールド用のプラッタカバー９の裏面側)に設けられ、この保管部３１に螺子２４によってダミー基板３０を固定する。【選択図】  図７ 
2005251309.tif 000002
【特許請求の範囲】
【請求項１】
データを格納する複数のディスクドライブと、
上記複数のディスクドライブを制御する複数の論理基板と、
装置内部を冷却する冷却風を発生させるファンと、
上記ディスクドライブ、上記論理基板及び上記ファンに電力を供給する電源装置と、
を構成部品としてディスクアレイ筐体内に実装し、
上記構成部品の増設が可能に構成され、その増設スペースにはダミー部品を装着するようにしたディスクアレイ装置において、
上記構成部品の増設時に取り外した上記ダミー部品を保管するための保管部を、上記ディスクアレイ筐体の内部における冷却風の流路及び構成部品の挿抜エリアを避けた場所に設けたことを特徴とするディスクアレイ装置。
【請求項２】
上記論理基板が収容される論理部を覆うシールド用カバー部材に上記保管部を設けたことを特徴とする請求項１に記載のディスクアレイ装置。
【請求項３】
上記ディスクアレイ筐体を開閉するドアの裏面側に上記保管部を設けたことを特徴とする請求項１に記載のディスクアレイ装置。
【請求項４】
上記ディスクアレイ筐体の側面に沿って上記保管部を設けたことを特徴とする請求項１に記載のディスクアレイ装置。
【請求項５】
上記ダミー部品を螺子によって上記保管部に固定する構造としたことを特徴とする請求項１〜４の何れか１項に記載のディスクアレイ装置。
【請求項６】
上記ダミー部品には、その両端部に上記螺子が脱落を防止された状態で組み付けられていることを特徴とする請求項５に記載のディスクアレイ装置。
【請求項７】
上記保管部において、上記螺子が螺合する螺子孔の間隔を変えることにより、大きさの異なる複数種のダミー部品を固定できる構造としたことを特徴とする請求項５または６に記載のディスクアレイ装置。
【請求項８】
上記ダミー部品にその一部を折り曲げてリブを形成したことを特徴とする請求項１〜４の何れか１項に記載のディスクアレイ装置。
【請求項９】
上記ダミー部材を上記保管部に固定することで上記カバー部材の強度が向上することを特徴とする請求項２に記載のディスクアレイ装置。
【請求項１０】
上記ダミー部材を上記保管部に固定することで上記カバー部材のシールド性が向上することを特徴とする請求項２に記載のディスクアレイ装置。
【発明の詳細な説明】
【技術分野】
【０００１】
本発明は、データが格納される複数のディスクドライブを搭載し、これら複数のディスクドライブを制御してデータの書き込み及び読み出しを行なうディスクアレイ装置に関し、特にその構成部品の増設構造に係るものである。
【背景技術】
【０００２】
一般にディスクアレイ装置は、データを格納する複数のディスクドライブと、この複数のディスクドライブを制御する複数の論理基板と、装置内部を冷却する冷却風を発生させるファンと、上記のディスクドライブ、論理基板及びファンに電力を供給する電源装置と、をディスクアレイ筐体内に実装して構成されている。
【０００３】
このようなディスクアレイ装置は、初期構成では論理基板等は基本構成で実装され、後から増設が可能に構成されている。この場合、増設用のスペース(空きスロット)には、冷却性の向上、防塵、ショート対策のためにダミー部品を装着しておき、増設時にはこのダミー部品を取り外して増設用の論理基板等を実装するようにしている。
このようなダミー部品を用いた基板の増設構造としては、従来例えば下記の特許文献１に記載されるようなものがある。
【特許文献１】特開平６−２３２５７８号公報
【発明の開示】
【発明が解決しようとする課題】
【０００４】
上記のディスクアレイ装置において論理基板等の増設時に取り外したダミー部品は、減設時に備えて大切に保管しておく必要がある。即ちディスクアレイ装置では、論理基板等の増設とは逆に減設(取り外し)を行う場合も多くあり、その場合には論理基板等を取り外した後、そのスペースに再びダミー部品を装着する必要があるからである。
【０００５】
しかしながら、従来はこのダミー部品をディスクアレイ装置の外で保管するようにしていたため、ダミー部品の紛失や他部品との混在が発生し易い問題があった。このような問題があると、例えば保守作業員が顧客先で論理基板等の減設を行う場合、その作業に大きな支障が生じて非効率であるため、ダミー部品の管理が大きな課題となっていた。
【０００６】
本発明は斯かる点に鑑みてなされたもので、論理基板等の増設時に取り外したダミー部品の管理を容易とし、論理基板等の減設作業を効率的に行うことのできるディスクアレイ装置を提供することを目的とする。
【課題を解決するための手段】
【０００７】
上記目的を達成するため本発明は、データを格納する複数のディスクドライブと、この複数のディスクドライブを制御する複数の論理基板と、装置内部を冷却する冷却風を発生させるファンと、ディスクドライブ、論理基板及びファンに電力を供給する電源装置と、を構成部品としてディスクアレイ筐体内に実装し、上記構成部品の増設が可能に構成され、その増設スペースにはダミー部品を装着するようにしたディスクアレイ装置において、上記構成部品の増設時に取り外したダミー部品を保管するための保管部を、ディスクアレイ筐体の内部に設けるようにしたものである。
【０００８】
この場合、ダミー部品の保管部は、ディスクアレイ筐体の内部における冷却風の流路及び構成部品の挿抜に影響のない場所に設けるようにする。その具体的な場所としては、論理基板が収容される論理部を覆うシールド用のカバー部材の裏面側が好適である。
ここでダミー部品は、その両端部に組み付けられた螺子によって保管部に固定されるものとする。保管部においては、螺子が螺合する螺子孔の間隔を変えることにより、大きさの異なる複数種のダミー部品を固定できる構造とする。ダミー部品が保管部に固定されることによってカバー部材は、その強度及びシールド性が向上されることになる。
【発明の効果】
【０００９】
本発明のディスクアレイ装置は、構成部品の増設時に取り外したダミー部品を保管するための保管部を、ディスクアレイ筐体の内部に設けたことにより、ダミー部品の管理が容易となるので、ダミー部品の紛失や他部品との混在が発生することはない。
このため、例えば保守作業員が顧客先で構成部品の減設を行う場合、その場で減設した構成部品のスペースにダミー部品を確実に装着できるので、減設作業を効率よく行なうことができる。よって、保守作業員の作業時間が短縮され、顧客側からの信頼性が向上し、保守コストの低減も可能となる。
【００１０】
そして本発明のディスクアレイ装置では、ディスクアレイ筐体の内部における冷却風の流路に影響のない場所にダミー部品を保管するようにしたことにより、ディスクアレイ装置内の温度環境を悪化させることがない。
またディスクアレイ筐体の内部における構成部品の挿抜に影響のない場所にダミー部品を保管するようにしたことにより、構成部品の増設及び減設作業の妨げとなることもない。
【００１１】
さらに本発明において、論理基板が収容される論理部を覆うシールド用カバー部材にダミー部品を保管するようにした構成では、カバー部材は、ダミー部品が固定されることによって強度が向上するため、その分だけ板厚を薄く形成できるので、カバー部材のコスト低減及び装置全体の重量低減が可能となる。
【００１２】
またカバー部材は、ダミー部品が固定されることによってシールド性が向上するため、論理基板の増設に効果的に対応することができる。即ち、論理基板が増設されると高周波ノイズも大きくなるが、それに比例してカバー部材に固定されるダミー部品も増加してシールド効果が強化されることになるので、高周波ノイズの漏洩を確実に抑えることが可能となる。
【発明を実施するための最良の形態】
【００１３】
以下、図面を参照しながら本発明の実施例について詳細に説明する。
先ず、本発明に係るディスクアレイ装置の基本構成について図１〜図４を参照しながら説明する。図１はディスクアレイ装置の全体構成を示す斜視図、図２はその部品構成を表す斜視図、図３は正面図、図４は側面図である。
【００１４】
このディスクアレイ装置１は、ディスクアレイ筐体２の内部に、ディスクユニット部３と論理部６を備えて構成されている。
ディスクユニット部３は、ディスクアレイ筐体２の上段に配置されるディスクドライブ筐体４内に、データを格納する複数のディスクドライブ５が収容されて成る。ディスクドライブ５は、これを縦置きにした状態で横方向に多数並べて配列し、さらにこれを上下方向に複数段に配列して実装されており、各ディスクドライブ５の間には、ディスクドライブ筐体４内を流れる冷却風の流路となるように、所定の隙間が設けられている。
【００１５】
論理部６は、ディスクユニット部３の下方に位置してディスクアレイ筐体２の中段に配置される論理部筐体７内に、上記ディスクドライブ５を制御する複数の論理基板８が収容されて成る。論理基板８は、これを垂直に立てた状態で横方向に並べて実装してあり、この論理基板８が収容される論理部筐体７には、その内部を流れる冷却風の流路となるように、底面部及び上面部に開口が設けられている。
【００１６】
論理基板８には、ホストコンピュータからのデータを受けるチャンネルアダプタ基板、複数のディスクドライブに対するデータの書き込みまたは読み出しを制御するディスクアダプタ基板、上記チャンネルアダプタ基板及びディスクアダプタ基板から書き込みまたは読み出しされるデータ及び制御情報を保存するメモリ基板など複数の種類があり、これら複数種の論理基板８が組み合わされて論理部筐体７に実装される。
【００１７】
またこの論理部６においては、論理基板８から発生する高周波ノイズの漏洩対策として、論理部６を覆うプラッタカバー９が論理部筐体７に取り付けられる。このプラッタカバー９には、論理部筐体７内を流れる冷却風の吸気用の開口孔部１０が形成されている。
【００１８】
さらにこのディスクアレイ装置１においては、論理部６の下方に位置してディスクアレイ筐体２内の最下段に電源装置１２が配置されている。
この電源装置１２は、ＡＣ電源ユニット１３とＤＣ電源ユニット１４及びバッテリーユニット１５で構成されており、一般用電源からの電力がＡＣ電源ユニット１３からＤＣ電源ユニット１４を介して所定の電力に変換されてディスクドライブ５及び論理基板８に供給される。また停電時等には、バッテリーユニット１５からディスクドライブ５及び論理基板８にバックアップ電力が供給される。
【００１９】
このディスクアレイ装置１において、上記のディスクユニット部３、論理部６及び電源装置１２は、何れも、ディスクアレイ筐体２の前面側と後面側とに対称的に配置されている。ディスクアレイ筐体２は、前面側及び後面側が開放されており、その開放面からディスクドライブ５、論理基板８、電源装置１２の挿抜が可能となっている。
【００２０】
さらにこのディスクアレイ装置１では、ディスクアレイ筐体２の上面部及びディスクアレイ筐体２内における論理部筐体７の上方に、ファン１８及び１９が設けられている。
このファン１８及び１９は、電源装置１２から供給される電力によって駆動し、ディスクアレイ装置１内を冷却するもので、即ちこのファン１８及び１９が駆動すると、図４に破線矢印で示す如く、ディスクユニット部３から吸気された空気がディスクドライブ筐体４内を通って上方へ流れると共に、論理部６から吸気された空気が論理部筐体７内を通って上方へ流れ、さらに電源装置１２から吸気された空気が上方へ流れ、これらの空気の流れが冷却風となってディスクアレイ筐体２の内部を効果的に冷却し、最後はファン１８から外部へと排気される。
【００２１】
続いて、図５を参照して本発明の好適な実施例である論理部６の構成について説明する。
ここで論理部６を構成する論理基板８は、電子回路部品２１が実装される基板本体２２と、この基板本体２２に固定される固定板２３とにより構成される。固定板２３の両端部には螺子２４が組み付けられており、これに対応して論理部筐体７内の上下に設けられたガイドチャンネル２５には螺子孔２６が形成されている。
【００２２】
そして、論理部６に論理基板８を実装するときには、基板本体２２を論理部筐体７に挿入し、その状態で螺子２４をガイドチャンネル２５の螺子孔２６に螺合させて固定する。また論理基板８を取り外すときには、螺子２４を螺子孔２６から外すと共に、固定板２３の両端部に設けられているレバー２７を操作して論理部筐体７から基板本体２２を抜脱させるようにする。
【００２３】
この論理部６では、論理基板８から高周波ノイズが発生するため、この高周波ノイズの漏洩対策としてシールド用のプラッタカバー９が取り付けられる。このプラッタカバー９は、論理部筐体７と同じく鉄を材料として形成されており、論理部６を覆うように論理部筐体７に取り付けられる。このプラッタカバー９には、論理部筐体７内を流れる冷却風の吸気用の開口孔部１０、及びこのプラッタカバー９を持つときに指を掛けるための凹部１１が形成されている。なお、ここで開口孔部１０は、プラッタカバー９に無数の小孔を穿設して形成されている。
そしてこのプラッタカバー９は、その両側部に設けられた固定金具２８を、論理部筐体７の両側部に固定されたフック２９に係合させることにより、論理部６を密閉した状態で論理部筐体７に固定される。
【００２４】
この論理部６においては、初期構成では論理基板８は基本構成で実装されており、後から増設が可能となっている。この場合、増設用のスペースには、冷却性の向上、防塵、ショート対策のためにダミー基板３０を装着しておき、増設時にはこのダミー基板３０を取り外して増設用の論理基板を実装するようにしている。
【００２５】
このダミー基板３０は、論理基板８の固定板２３と同様の構成を有するもので、その両端部に組み付けられた螺子２４によって論理部筐体７のガイドチャンネル２５に固定される。ここで図６に示す如く螺子２４は、ダミー基板の中空部において嵌着されたワッシャ２４ｃによって脱落を防止された状態で組み付けられており、つまみ部２４ａを回転操作して先端螺子部２４ｂをガイドチャンネル２５の螺子孔２６に螺合させて固定するものである。
【００２６】
このダミー基板３０は鉄を材料として形成され、充分な強度を有しているが、さらにその側部にリブ３０ａを形成して曲げ強度を向上させてある。このリブ３０ａは、ダミー基板３０の側部に延長板部を形成し、これをダミー基板の本体部に対し直角に折り曲げることによって形成される。
【００２７】
このダミー基板３０は、論理基板８の増設時には取り外されるものであるが、ここで取り外したダミー基板３０は、論理基板８の減設時に備えて大切に保管しておく必要がある。即ちこのディスクアレイ装置では、論理基板８の減設を行う場合も多くあり、その場合には論理基板８を取り外した後、そのスペースに再びダミー基板３０を装着する必要がある。
【００２８】
本発明によるディスクアレイ装置では、このダミー基板３０を保管する保管部３１がディスクアレイ筐体２の内部に設けられる。この場合、保管部３１は、ディスクアレイ筐体２の内部における冷却風の流路及び構成部品の挿抜に必要なエリアを避けた場所に設けられる。
【００２９】
その好適な実施例として本例では、図７に示す如く、論理部６に取り付けられるシールド用のプラッタカバー９に、ダミー基板３０を保管する保管部３１を設けてある。
この場合、プラッタカバー９の裏面側において、吸気用の開口孔部１０を避けた位置に左右一対の固定脚３２が溶接されており、この固定脚３２に複数のダミー基板３０を固定できるようになっている。即ち固定脚３２には、論理部筐体７のガイドチャンネル２５と同様に螺子孔３３が形成されており、この螺子孔３３にダミー基板３０の螺子２４を螺合させて固定するものである。
【００３０】
ここでダミー基板３０は、論理基板８の種類に応じて３種類の大きさがあり、標準の大きさのものをタイプＡ、幅が広いものをタイプＢ、長さが短いものをタイプＣとする。
これに対し保管部３１では、上記３種類のダミー基板３０の大きさに応じて、螺子２４が螺合する螺子孔３３の間隔を変えることにより、上記３種類のダミー基板３０を確実に固定できる構造となっている。即ち、本例においてタイプＡとタイプＢのダミー基板３０は、開口孔部１０の上方において上下方向に複数並べて固定脚３２に固定できるようになっており、ここではタイプＡとタイプＢの大きさに合わせて、固定脚３２に形成される螺子孔３３の上下方向の間隔をａとｂのように変化させてある。またタイプＣのダミー基板３０は、開口孔部１０の下方において１つを固定脚３２に固定できるようになっており、ここではタイプＣの大きさに合わせて、左右の固定脚３２の螺子孔３３の間隔をｃのようにしてある。これにより、大きさの異なる３種類のダミー基板３０を容易に固定することができる。
【００３１】
なお、この保管部３１が設けられるプラッタカバー９の裏面側には、指を掛けるための凹部１１を構成する裏板１１ａが固定されているが、保管部３１ではこの裏板１１ａにダミー基板３０のリブ３０ａが当たらないように、ダミー基板３０の固定位置が考慮されている。
【００３２】
こうしてダミー基板３０が固定されたプラッタカバー９は、図８に示す如く、ダミー基板３０によって補強された状態となるので、その強度が向上する。特に本例では、螺子２４によってダミー基板３０がプラッタカバー９に固定されるので、プラッタカバー９とダミー基板３０が確実に一体化し、さらにダミー基板３０にはリブ３０ａが形成されていることにより、プラッタカバー９の強度は一段と大きいものとなる。さらにプラッタカバー９は、ダミー基板３０が固定されることにより、論理基板８から発生する高周波ノイズに対するシールド性も向上する。
【００３３】
以上のように本例のディスクアレイ装置では、論理基板８の増設時に取り外したダミー基板３０を保管するための保管部３１を、ディスクアレイ筐体２の内部におけるプラッタカバー９の裏面側に設けたことにより、ダミー基板３０の管理が容易となるので、ダミー基板の紛失や他部品との混在が発生することはない。
【００３４】
このため、例えば保守作業員が顧客先で論理基板の減設を行う場合、その場で減設した論理基板８のスペースにダミー基板３０を確実に装着できるので、減設作業を効率よく行なうことができる。よって、保守作業員の作業時間が短縮され、顧客側からの信頼性が向上し、保守コストの低減も可能となる。
【００３５】
そして本例のディスクアレイ装置では、プラッタカバー９における吸気用の開口孔部１０を避けた位置にダミー基板３０を保管するようにしたので、ディスクアレイ筐体２の内部における冷却風の流路に影響を与えることはなく、従ってディスクアレイ装置内の温度環境を悪化させることがない。
【００３６】
その有効性を確認するため、本発明者は、下記のような実験を行った。
即ち、上記実施例のようにプラッタカバー９における吸気用の開口孔部１０を外した位置にダミー基板３０を固定した場合(測定条件１)と、プラッタカバー９の開口孔部１０を塞ぐ位置にダミー基板３０を固定した場合(測定条件２)とでディスクアレイ装置内の温度を測定し、両者を比較した。温度測定点は、論理部筐体７内における２点、即ち図３における論理部６の中央(Ｘ)の論理基板の基板本体上(測定点Ｘ)と、最右端(Ｙ)の論理基板の基板本体上(測定点Ｙ)である。
その結果を表１に示す
【表１】
2005251309.tif 000003
【００３７】
この結果から、プラッタカバー９の開口孔部１０を塞ぐ位置にダミー基板３０を固定した場合(測定条件２)は、冷却風の妨げとなるため何れの測定点でも高温となり、これに対し本例のようにプラッタカバー９における吸気用の開口孔部１０を避けた位置にダミー基板３０を固定した場合(測定条件１)は明らかに温度が低く抑えられ、ディスクアレイ装置内の温度環境を悪化させていないことが確認された。
【００３８】
さらに本例のディスクアレイ装置では、プラッタカバー９の裏面側にダミー基板３０を保管するようにしたことにより、プラッタカバー９は論理基板８の増設及び減設時には必ず取り外すため、ダミー基板３０が論理基板８の挿抜に影響を与えることはなく、またその他の構成部品、即ちディスクドライブ５や電源装置１２の挿抜にも影響を与えることがない。
【００３９】
さらに本例のディスクアレイ装置においては、プラッタカバー９は、ダミー基板３０が固定されることによって強度が向上するため、反りが発生することがなく、論理部６を確実に密閉することができる。そしてこのプラッタカバー９は、ダミー基板３０によって強度が向上することにより、その分だけ板厚を薄く形成できるので、プラッタカバー９のコスト低減及びディスクアレイ装置全体の重量低減が可能となる。
【００４０】
またプラッタカバー９は、ダミー基板３０が固定されることによってシールド性が向上するため、論理基板８の増設に効果的に対応することができる。即ち、論理基板８が増設されると高周波ノイズも大きくなるが、それに比例してプラッタカバー９に固定されるダミー基板３０の数も増加してシールド効果が強化されることになるので、高周波ノイズの漏洩を確実に抑えることが可能となるものである。
【００４１】
図９は本発明の他の実施例を示す。
この実施例は、ダミー基板３０を保管するための保管部３１を、ディスクアレイ筐体２を開閉するドア２ａに設けたものである。即ち本例のディスクアレイ装置では、ディスクアレイ筐体２の前後の開放面に横開きの回動式ドア２ａが装着されており、このドア２ａの裏面側にダミー基板３０を保管する保管部３１を設けてある。このドア２ａに設けられる保管部３１の構成は、前述したプラッタカバー９の場合と同様であり、即ち、ドア２ａに溶接された左右一対の固定脚３２にダミー基板３０を螺子によって固定するものである。
【００４２】
ここでドア２ａには、ディスクアレイ筐体２内を流れる冷却風の吸気用の開口孔部３５が形成されており、この開口孔部３５の間の部分に保管部３１を設けてダミー基板３０を固定するようにしている。このように開口孔部３５を避けた位置にダミー基板３０を固定するようにしたことにより、ダミー基板３０が冷却風に影響を与えることはない。また、ダミー基板３０をドア２ａの裏面側に保管するようにしたことにより、論理基板８及びその他の構成部品の挿抜の妨げとなることもない。
【００４３】
そして特にこの例では、ディスクアレイ装置のドア２ａを開けるとすぐにダミー基板３０が保管されているのが見えるので、ダミー基板３０を確認し易く、また論理基板８の増設及び減設作業時にはドア２ａを開くと保守作業員のすぐ横に保管部３１がある状態となるため、ダミー基板３０の取り付け及び取り外しをスムーズに行うことができ、非常に作業性がよいという利点がある。
【００４４】
図１０及び図１１は本発明のさらに他の実施例を示す。
この例は、ディスクアレイ装置の電源装置１２における実施例であり、ここでＤＣ電源ユニット１４は、基本構成では図１０に示すように２個が実装されており、その隣に２個を増設可能に構成されている。なお、このＤＣ電源ユニット１４は、２個を一組として増設及び減設されるようになっている(図では前面側の電源装置のみを示してあるが、後面側の電源装置もこれと対称的に構成される）。
【００４５】
この電源装置１２では、ＡＣ電源ユニット１３から供給される電力用のケーブル１６がＤＣ電源ユニット１４の端子部１４ａに接続されるようになっているが、ＤＣ電源ユニット１４を増設する前の状態では、この増設用のＤＣ電源ユニットに接続するケーブル１６のショートを防止するため、図１０に示すようにＤＣ電源ユニットの増設スペースにダミープレート４０を設置し、このダミープレート４０のダミー端子４０ａにケーブル１６を接続するようにしている。
【００４６】
そしてＤＣ電源ユニット１４を増設したときには、このダミープレート４０を取り外し、図１１に示す如く増設したＤＣ電源ユニット４０の端子４０ａにケーブル１６を接続するものである。
本例のディスクアレイ装置では、このＤＣ電源ユニット１４の増設時に取り外したダミープレート４０を保管するための保管部４１を、ディスクアレイ筐体２の一側面に沿って設けてある。
【００４７】
即ちこの保管部４１は、ディスクアレイ筐体２の内部において、ＤＣ電源ユニット１４の増設スペース近傍の側柱４２に固定板４３を固着して構成され、ＤＣ電源ユニット１４を増設したときには図１１に示す如く、この固定板４３にダミープレート４０を、ディスクアレイ筐体２の内面に沿うように螺子で固定する。
【００４８】
このようにディスクアレイ筐体２の側面に沿ってダミープレート４０を保管するようにしたことにより、ダミープレート４０がディスクアレイ筐体２内の冷却風に影響を与えることはない。また、ダミープレート４０をディスクアレイ筐体２の側面に沿って保管するようにしたことにより、電源装置１２及びその他の構成部品の挿抜の妨げとなることもない。
【００４９】
そして特にこの電源装置１２では、ＤＣ電源ユニット１４が大きくその増設スペースが広いため、ダミープレート４０の取り付け及び取り外しを行う作業エリアが充分に確保されるので、作業をスムーズに行うことができ、作業性がよいという利点がある。
【００５０】
以上、本発明の実施例について説明したが、本発明はこの実施例に限定されるものではない。実施例では、ディスクアレイ装置の論理部と電源装置に本発明を適用した例を示したが、本発明はその他に、ディスクユニット部においても適用することが可能である。
【図面の簡単な説明】
【００５１】
【図１】本発明に係るディスクアレイ装置の全体構成を示す斜視図である。
【図２】同、部品構成を表す斜視図である。
【図３】同、正面図である。
【図４】同、側面図である。
【図５】本発明の好適な実施例を示す論理部の斜視図である。
【図６】ダミー基板の側面図である。
【図７】論理部に取り付けられるシールド用のプラッタカバーを裏面側から見た斜視図である(一部を切り欠いて示している)。
【図８】ダミー基板が固定されたプラッタカバーの横断面図である。
【図９】本発明の他の実施例を示すディスクアレイ装置の斜視図である。
【図１０】本発明のさらに他の実施例を示す電源装置の斜視図で、電源の増設前の状態である。
【図１１】同、増設後の状態である。
【符号の説明】
【００５２】
１…ディスクアレイ装置
２…ディスクアレイ筐体
２ａ…ドア
３…ディスクユニット部
５…ディスクドライブ
６…論理部
８…論理基板
９…プラッタカバー(カバー部材)
１０…開口孔部
１２…電源装置
１８，１９…ファン
２４…螺子
３０…ダミー基板(ダミー部品)
３１…保管部
４０…ダミープレート(ダミー部品)
４１…保管部
【図１】
2005251309.tif 000004
【図２】
2005251309.tif 000005
【図３】
2005251309.tif 000006
【図４】
2005251309.tif 000007
【図５】
2005251309.tif 000008
【図６】
2005251309.tif 000009
【図７】
2005251309.tif 000010
【図８】
2005251309.tif 000011
【図９】
2005251309.tif 000012
【図１０】
2005251309.tif 000013
【図１１】
2005251309.tif 000014